(57)【要約】【課題】放射線を遮蔽する遮蔽部材を簡易に設置するとともに、遮蔽部材による放射線の遮蔽を簡易に解除する。【解決手段】遮蔽部材１は、支持部材２のランナー２３に取り付けられ、レール２１に吊り下げられる。ランナー２３は、レール２１の延在方向に移動する一対のローラ３１と、一対のローラ３１を回転自在に支持する支持部材３３と、遮蔽部材１が取り付けられる取り付け部材３４とを有する。遮蔽部材１が取り付けられたハンガー５を取り付け部材３４に掛けることにより、遮蔽部材１がレール２１に吊り下げられる。また、ハンガー５を取り付け部材３４から取り外すことにより、遮蔽部材１をレール２１から取り外すことができる。ランナー２３に取り付けられた遮蔽部材１をローラ３１とともにレール２１の延在方向に移動させることにより、遮蔽部材１による放射線の遮蔽を解除できる。【選択図】図２
2012225753.tif 000002
【特許請求の範囲】
【請求項１】
放射線を遮蔽する複数の遮蔽部材と、
前記遮蔽部材を吊り下げ支持する支持部材とを備え、
前記支持部材は、前記遮蔽部材が吊り下げられるレールと、前記レールの延在方向に沿って移動する移動体とを有し、
前記遮蔽部材は、前記移動体と一体になるようにレールに吊り下げられるとともに前記レールに着脱可能であることを特徴とする遮蔽装置。
【請求項２】
前記支持部材は、前記遮蔽部材の吊り下げ方向を中心に回転する回転部材を有し、
前記遮蔽部材は、前記移動体及び前記回転部材と一体になるように前記レールに吊り下げられることを特徴とする請求項１に記載の遮蔽装置。
【請求項３】
少なくとも２枚の前記遮蔽部材が放射線を遮蔽する方向に重ねられることを特徴とする請求項１又は２に記載の遮蔽装置。
【発明の詳細な説明】
【技術分野】
【０００１】
本発明は、放射線を遮蔽する遮蔽装置に関する。
【背景技術】
【０００２】
従来から、原子力発電所等において、放射性物質が流れる配管や機器の周囲に遮蔽部材を設けることにより、配管や機器から放出される放射線を遮蔽している。例えば、特許文献１には、配管に鉛毛マット（遮蔽部材）を巻き付けることにより、配管から放出される放射線を遮蔽する方法が開示されている（図９参照）。また、別の方法として、鉛板を配管に巻き付ける方法が知られている。
【先行技術文献】
【特許文献】
【０００３】
【特許文献１】特開２００１−２８１３９７号公報
【発明の概要】
【発明が解決しようとする課題】
【０００４】
上述した方法では、遮蔽部材を取り付ける作業に非常に手間を要し、取り付け作業に相当な時間を要するため、取付け作業時の作業員の被ばく量が多い。また、遮蔽部材を取り付けた後、配管や機器を部分的に点検する場合、その都度、遮蔽部材を取り外すことが必要となる。その際、遮蔽部材を取り外す作業に非常に手間を要するため、取り外し作業時の作業員の被ばく量が多い。
【０００５】
そこで、本発明は、遮蔽部材を簡易に設置できるとともに遮蔽部材による放射線の遮蔽を簡易に解除できる遮蔽装置を提供することを目的とする。
【課題を解決するための手段】
【０００６】
本発明の遮蔽装置は、放射線を遮蔽する複数の遮蔽部材と、前記遮蔽部材を吊り下げ支持する支持部材とを備え、前記支持部材は、前記遮蔽部材が吊り下げられるレールと、前記レールの延在方向に沿って走行する移動体とを有し、前記遮蔽部材は、前記移動体と一体になるようにレールに吊り下げられるとともに前記レールに着脱可能である。
【０００７】
本発明によると、放射性物質が流れる配管や機器の周囲に支持部材を設置した場合、支持部材が配置された現場で遮蔽部材をレールに着脱することにより、遮蔽部材の設置及び取り外しを簡易に且つ短時間で行うことができる。これにより、遮蔽部材の設置作業の作業時間及び遮蔽部材の取り外し作業の作業時間を低減できるため、作業員の被ばく量を低減できる。また、遮蔽部材を移動体とともにレールの延在方向に移動させることにより、遮蔽部材による遮蔽位置を簡易に変えることができる。これにより、遮蔽部材による放射線の遮蔽を簡易に解除できる。
【０００８】
また、本発明において、前記支持部材は、前記遮蔽部材の吊り下げ方向を中心に回転する回転部材を有し、前記遮蔽部材は、前記移動体及び前記回転部材と一体になるように前記レールに吊り下げられることが好ましい。この構成によると、遮蔽部材を回転部材とともに回転させることにより、放射線を遮蔽する方向を簡易に変更することができる。これにより、遮蔽部材をレールから取り外すことなく、遮蔽部材による放射線の遮蔽を簡易に解除できる。
【０００９】
さらに、本発明において、少なくとも２枚の前記遮蔽部材が放射線を遮蔽する方向に重ねられることが好ましい。これにより、放射線遮蔽効果を簡易に向上させることができる。
【発明の効果】
【００１０】
本発明の放射線遮蔽装置によると、放射性物質が流れる配管や機器の周囲に支持部材を設置した場合、支持部材が配置された現場で遮蔽部材をレールに着脱することにより、遮蔽部材の設置及び取り外しを簡易に且つ短時間で行える。これにより、遮蔽部材の設置作業の作業時間及び遮蔽部材の取り外し作業の作業時間を低減できるため、作業員の被ばく量を低減できる。また、遮蔽部材を移動体とともにレールの延在方向に移動させることにより、遮蔽部材の遮蔽位置を簡易に変えることができる。これにより、遮蔽部材による放射線の遮蔽を簡易に解除できる。
【図面の簡単な説明】
【００１１】
【図１】本発明の第１実施形態に係る遮蔽装置の正面図である。
【図２】（ａ）は、図１に示す遮蔽装置の斜視図であり、（ｂ）は（ａ）のＢ−Ｂ線に沿った断面図である。
【図３】遮蔽部材を回転及び移動させた状態を示す図である。
【図４】遮蔽部材を回転及び移動させた状態を示す図である。
【図５】遮蔽部材を重ねた状態を示す図である。
【図６】本発明の第２実施形態に係る遮蔽装置の正面図である。
【発明を実施するための形態】
【００１２】
以下、本発明の好適な実施形態について、図面を参照しつつ説明する。
【００１３】
〔第１実施形態〕
ここでは、本発明の第１実施形態について、図１〜５を参照しつつ説明する。
【００１４】
（遮蔽装置）
図１及び図２（ａ）に示すように、遮蔽装置１００は、放射線を遮蔽する遮蔽部材１と、遮蔽部材１を吊り下げ支持する支持部材２とを備えている。遮蔽装置１００は放射性物質が流れる配管や機器等の周囲に配置される。本実施形態では、遮蔽装置１００の背面側（後方）に、放射線を放出する配管や機器等が配置されている。
【００１５】
<遮蔽部材>
支持部材２のレール２１には、６枚の遮蔽部材１が吊り下げられている。６枚の遮蔽部材１は、略直方体形状の板状の部材であり、遮蔽面１ａが放射線を放出する配管や機器等に対向するように設けられている。また、６枚の遮蔽部材１はレール２１の延在方向に隣接するように並んで配置され、６枚の遮蔽部材１により１枚の遮蔽壁が形成されている。遮蔽部材１は、放射線を遮蔽する材料、例えば、ヘビーメタル（タングステンなど）、銅、ニッケル、チタン、鉛、又はこれらの合金により形成されている。また、遮蔽部材１は、所望の遮蔽能に応じて厚みが調整され、持ち運び可能な重さに調整されている。なお、本実施形態では、レール２１の延在方向に隣り合う２枚の遮蔽部材１が接合部材等を用いて接合されていない。
【００１６】
図２（ａ）に示すように、遮蔽部材１の上部には、ハンガー５が取り付けられている。ハンガー５は、遮蔽部材１の平面方向に沿って設けられている。これにより、遮蔽部材１が板状に保持される。また、図１及び図２（ｂ）に示すように、ハンガー５の略中央付近には、上方に向けて凸な略半円弧状のフック６が設けられている。フック６は、取り付け部材３４に掛けられる。なお、図２（ｂ）では、断面を示すハッチングを省略している。
【００１７】
また、図２に示すように、ハンガー５には、略Ｕ字状の３つのフック７が設けられている。図２（ａ）に示すように、３つのフック７は、遮蔽部材１の上端部に形成された３つの孔に挿入される。これにより、ハンガー５と遮蔽部材１とが一体となる。
【００１８】
<支持部材>
図２（ａ）に示すように、支持部材２は、遮蔽部材１が吊り下げられるレール２１と、レール２１を下方から支持する支持棒２２と、レール２１に設けられ、レール２１の延在方向に走行する複数のランナー２３とを有する。
【００１９】
支持棒２２には、アジャスター２２ａが設けられている。アジャスター２２ａを調節することにより、支持棒２２の高さを変えることができる。これにより、レール２１の高さ位置が変わり、遮蔽部材１の高さ位置を変えることができる。
【００２０】
図２（ｂ）に示すように、ランナー２３は、レール２１の内部に設けられた一対のローラ（移動体）３１と、一対のローラ３１の回転軸となる軸３２と、一対のローラ３１を回転自在に支持する支持部材３３と、遮蔽部材１が取り付けられる取り付け部材３４と、支持部材３３及び取り付け部材３４を連結する連結部材の回りに設けられたローラ（回転部材）３５とを有する。
【００２１】
取り付け部材３４には、ハンガー５に設けられたフック６が引っ掛けられる。これにより、ハンガー５と一体となった遮蔽部材１が、ローラ３１，３５と一体になるように、レール２１に吊り下げられる。
【００２２】
一対のローラ３１は、軸３２を中心に転動し、レール２１の延在方向にスライドする。ローラ３１のスライドにともなって、ランナー２３及び遮蔽部材１をレール２１の延在方向に移動させることができる。
【００２３】
ローラ３５は、上下方向についての軸を中心に回転する。ローラ３５の回転にともなって、取り付け部材３４とハンガー５及び遮蔽部材１とが上下方向についての軸を中心に回転する。ここで、上下方向についての軸とは、遮蔽部材１の吊り下げ方向（レール２１の延在方向に垂直な方向）である。
【００２４】
次に、遮蔽装置１００の設置方法について説明する。
【００２５】
（遮蔽装置の設置方法）
予め、放射性物質が流れる配管や機器等の周囲（以下、「現場」と呼ぶことがある。）に支持部材２を設置しておく。そして、現場に、遮蔽部材１及び遮蔽部材１に取り付けられたハンガー５を運び、ランナー２３の取り付け部材３４にハンガー５のフック６を引っ掛け、遮蔽部材１をレール２１に吊り下げる。
【００２６】
遮蔽部材１による放射線の遮蔽が不要なときは、現場で、フック６を取り付け部材３４から取り外すことにより、遮蔽部材１をレール２１から取り外す。
【００２７】
続いて、遮蔽装置１００の他の使用方法について説明する。
【００２８】
遮蔽部材１による放射線の遮蔽が不要なときは、図３に示すように、６枚の遮蔽部材１を、９０度回転させ、レール２１の一端側に移動させる。これにより、放射線の遮蔽を解除できる。
【００２９】
また、放射線を放出する配管や機器等を点検するときは、図４に示すように、１枚の遮蔽部材１をランナー２３から取り外し、２枚の遮蔽部材１（図４に示す遮蔽部材１１，１２）を９０度回転させ（図４に示す矢印方向）、遮蔽部材１１，１２を、それぞれ、レール２１の延在方向についての反対側に移動させる。これにより、遮蔽部材１１と遮蔽部材１２との間に、遮蔽部材１による放射線が遮蔽されない開放部分が形成され、遮蔽部材１による放射線の遮蔽を部分的に解除できる。
【００３０】
さらに、放射線の放射量が多く、放射線遮蔽効果を高めたいときは、図５に示すように、レール２１に吊り下げる遮蔽部材１の数を増やし、放射線を遮蔽する方向に２枚の遮蔽部材１を重ねる。
【００３１】
以上に述べたように、本実施形態の遮蔽装置１００によると以下の効果を奏する。放射性物質が流れる配管や機器等の周囲に支持部材２を設置した場合、支持部材２が配置された現場で遮蔽部材１をレール２１に着脱することにより、遮蔽部材１の設置及び取り外しを簡易に且つ短時間で行うことができる。これにより、遮蔽部材１の設置作業の作業時間及び遮蔽部材１の取り外し作業の作業時間を低減できるため、作業員の被ばく量を低減できる。また、遮蔽部材１をローラ３１とともにレール２１の延在方向に移動させることにより、遮蔽部材１による遮蔽位置を簡易に変えることができる。これにより、遮蔽部材１による放射線の遮蔽を簡易に解除できる。
【００３２】
また、遮蔽部材１をローラ３５とともに上下方向を中心に回転させることにより、放射線を遮蔽する方向を簡易に変更することができる。これにより、遮蔽部材１をレール２１から取り外すことなく、遮蔽部材１による放射線の遮蔽を簡易に解除できる。
【００３３】
さらに、図５に示すように、遮蔽部材１を、放射線を遮蔽する方向に重ねることにより、放射線遮蔽効果を簡易に向上させることができる。
【００３４】
〔第２実施形態〕
次に、本発明の第２実施形態について、図６を参照しつつ説明する。第２実施形態の遮蔽装置は、第１実施形態では、隣り合う２枚の遮蔽部材１が接合部材等を用いて接合されていないのに対して、第２実施形態では、隣り合う２枚の遮蔽部材１が接合部材を用いて接合されている点において、第１実施形態に係る遮蔽装置と異なっている。なお、その他の構成は、上記第１実施形態と同様であるため、同じ符号を用いて適宜その説明を省略する。
【００３５】
図６に示すように、隣り合う２枚の遮蔽部材１は、上部、中央部及び下部において、テープ（接合部材）５１により接合されている。これにより、隣り合う遮蔽部材１の間に隙間が殆ど生じない。
【００３６】
以上のように、本実施形態の遮蔽装置２００では、第１実施形態の遮蔽装置１００と同様に、遮蔽部材１の設置及び取り外しを簡易に且つ短時間で行うことができる。また、隣り合う遮蔽部材１がテープ５１により接合されているため、隣り合う遮蔽部材１の間に隙間が殆ど生じず、これらの間から放射線が漏れにくい。これにより、遮蔽部材１による放射線の遮蔽を確実なものとすることができる。
【００３７】
以上、本発明の好適な実施形態について説明したが、本発明は上述の実施形態に限られるものではなく、特許請求の範囲に記載した限りにおいて様々な変更が可能なものである。
【００３８】
例えば、第１実施形態及び第２実施形態では、６枚又は８枚の遮蔽部材１がレール２１に吊り下げられている場合について説明したが、遮蔽部材１の数は上記枚数に限られず、変更可能である。また、遮蔽部材１の形状及び材質は、第１実施形態及び第２実施形態に示すものに限られない。さらに、レール２１に吊り下げられる複数の遮蔽部材１は、全て同じ構成でなくてもよい。
【００３９】
また、第１実施形態の図５では、放射線を遮蔽する方向に遮蔽部材１を２枚重ねているが、遮蔽部材１を重ねる枚数は放射線量等に応じて変更可能である。
【００４０】
さらに、第２実施形態では、隣り合う遮蔽部材１を接合するためにテープ（接合部材）を用いたが、接合部材はテープに限られず、蝶番等を使用してもよい。
【００４１】
加えて、第１実施形態及び第２実施形態では、レール２１の延在方向に沿って移動する移動体にローラ３１を用いる場合について説明したが、移動体は回転しないものでもよい。例えば、移動体に、レール２１の延在方向に沿ってスライドする摺動体を用いてもよい。
【００４２】
また、第１実施形態及び第２実施形態では、支持部材２のランナー２３はローラ３５を有するが、支持部材２はローラを有さなくてもよい。
【００４３】
さらに、第１実施形態及び第２実施形態では、支持部材２の支持棒２２にアジャスター２２ａが設けられているが、支持棒２２にアジャスター２２ａが設けられていなくてもよい。
【００４４】
加えて、支持部材２のランナー２３の構成は、第１実施形態及び第２実施形態において説明した構成に限られない。例えば、第１実施形態及び第２実施形態において、支持部材３３と取り付け部材３４とを連結する連結部材とその回りに設けられたローラ３５とが別の部材であるが、これらが一体となっていてもよい。また、第１実施形態及び第２実施形態では、ハンガー５のフック６が取り付け部材３４に引っ掛けられるが、フック６をローラ３５に直接取り付けてもよい。
【００４５】
また、第１実施形態及び第２実施形態では、遮蔽装置１００を放射性物質が流れる配管や機器等の周囲に配置する場合について説明したが、遮蔽装置１００や遮蔽部材１及び支持部材２を放射性物質が流れる配管や機器等に直接取り付けてもよい。
【符号の説明】
【００４６】
１，１１，１２  遮蔽部材
２  支持部材
２１  レール
２３  ランナー
３１  ローラ（移動体）
３５  ローラ（回転部材）
５１  テープ（接合部材）
１００，２００  遮蔽装置
【図１】
2012225753.tif 000003
【図２】
2012225753.tif 000004
【図３】
2012225753.tif 000005
【図４】
2012225753.tif 000006
【図５】
2012225753.tif 000007
【図６】
2012225753.tif 000008